(57)【要約】      （修正有）【課題】対物レンズのレンズ面が光ディスクに衝突するのを防止する。【解決手段】第１光ディスク（Ｄ１）がターンテーブル（Ｔ）に装着された第１装着状態である場合、Ｄ１の情報記録層に第１レーザ光を集光する第１対物レンズ（Ｌ１）と、第２光ディスク（Ｄ２）がＴに装着された第２装着状態である場合、Ｄ２の情報記録層に第２レーザ光を集光する第２対物レンズ（Ｌ２）と、第１装着状態のＤ１及び第２装着状態のＤ２の径方向に沿って、Ｌ１及びＬ２を各々径方向の外周側及び内周側として隣接させて一体保持し、径方向に沿って移動可能であるレンズホルダと、を備えた光ピックアップ装置であって、第１装着状態のＤ１及び第２装着状態のＤ２のディスク面と、Ｌ１及びＬ２のディスク面と対向する対向面とは、略平行であり、ディスク面と対向面との間のＴの回転軸方向の最小距離は、Ｔの回転軸方向の厚みより大である。【選択図】図１
2011204352.tif 000002
【特許請求の範囲】
【請求項１】
第１光ディスクがターンテーブルに装着された第１装着状態である場合、前記第１光ディスクの情報記録層に第１レーザ光を集光する第１対物レンズと、
前記第１光ディスクとは異なる情報記録フォーマットの第２光ディスクが前記ターンテーブルに装着された第２装着状態である場合、前記第２光ディスクの情報記録層に第２レーザ光を集光する第２対物レンズと、
前記第１装着状態の前記第１光ディスク及び前記第２装着状態の前記第２光ディスクの径方向に沿って、前記第１対物レンズ及び前記第２対物レンズを各々前記径方向の外周側及び内周側として隣接させて一体保持し、前記径方向に沿って移動可能であるレンズホルダと、
を備えた光ピックアップ装置であって、
前記第１装着状態の前記第１光ディスク及び前記第２装着状態の前記第２光ディスクのディスク面と、前記第１対物レンズ及び前記第２対物レンズの前記ディスク面と対向する対向面とは、略平行であり、
前記ディスク面と前記対向面との間の前記ターンテーブルの回転軸方向の最小距離は、前記ターンテーブルの回転軸方向の厚みより大である、
ことを特徴とする光ピックアップ装置。
【請求項２】
前記ディスク面と前記対向面との間の前記最小距離は、
前記ターンテーブルの回転軸方向の厚みに生じ得る第１最大誤差と、
前記ターンテーブルにおける前記第１光ディスク及び前記第２光ディスクの装着面の回転軸方向の位置に生じ得る第２最大誤差と、
前記ターンテーブルにおける前記装着面の前記径方向に対する傾きの第３最大誤差と、
前記第１装着状態の前記第１光ディスク及び前記第２装着状態の前記第２光ディスクの回転軸方向の厚みに生じ得る第４最大誤差と、
前記第１装着状態の前記第１光ディスク及び前記第２装着状態の前記第２光ディスクの回転時の面振れによる前記ディスク面の回転軸方向の変位の第５最大誤差と、
前記第１対物レンズ及び前記第２対物レンズの各対向面間の前記回転軸方向のずれの第６最大誤差と、
のうちの少なくとも１以上に応じて定まる前記回転軸方向の長さを、前記ターンテーブルの回転軸方向の厚みに加算した長さ以上である、
ことを特徴とする請求項１に記載の光ピックアップ装置。
【請求項３】
前記ディスク面と前記対向面との間の前記最小距離は、
前記第1最大誤差に応じて定まる前記回転軸方向の長さの二乗と、
前記第２最大誤差に応じて定まる前記回転軸方向の長さの二乗と、
前記第３最大誤差に応じて定まる前記回転軸方向の長さの二乗と、
前記第４最大誤差に応じて定まる前記回転軸方向の長さの二乗と、
前記第５最大誤差に応じて定まる前記回転軸方向の長さの二乗と、
前記第６最大誤差に応じて定まる前記回転軸方向の長さの二乗と、
のうちの少なくとも１以上の合計の平方根を、前記ターンテーブルの回転軸方向の厚みに加算した長さ以上である、
ことを特徴とする請求項２に記載の光ピックアップ装置。
【請求項４】
前記第４最大誤差は、前記第１装着状態の前記第１光ディスク及び前記第２装着状態の前記第２光ディスクの回転軸方向の厚みに生じ得る最大誤差を、前記第１光ディスク及び前記第２光ディスクの屈折率で除算した値である、ことを特徴とする請求項２又は３に記載の光ピックアップ装置。
【請求項５】
前記ディスク面と前記対向面との間の前記最小距離は、前記ターンテーブルの回転軸方向の厚みに０．１２ｍｍを加算した長さ以上である、ことを特徴とする請求項３に記載の光ピックアップ装置。
【発明の詳細な説明】
【技術分野】
【０００１】
本発明は、光ピックアップ装置に関する。
【背景技術】
【０００２】
赤外レーザ光を用いて情報の記録／再生が可能な媒体として、ＣＤ（Compact Disc）が知られている。また、赤色レーザ光を用いる媒体としてはＤＶＤ（Digital Versatile Disc）が知られている。更に、これらの光ディスクと比較してより高密度記録が可能な青紫色レーザ光を用いる光ディスク、例えばＨＤ ＤＶＤ（High Definition DVD）やＢｌｕ−ｒａｙ Ｄｉｓｃ（登録商標）等が提唱されている。使用するレーザ光の波長が異なる２種類の光ディスクに対して情報の記録／再生を行うべく、例えば、ＣＤやＤＶＤ等用の赤色乃至赤外レーザ光を集光するための対物レンズと、ＨＤ ＤＶＤやＢｌｕ−ｒａｙ Ｄｉｓｃ等用の青紫色レーザ光を集光するための対物レンズとを１つのレンズホルダに搭載した光ピックアップ装置がある（例えば、特許文献１参照。）。
【０００３】
前述した光ピックアップ装置における２つの対物レンズの光ディスクに対する配置には、この光ディスクの径方向（以後、ラジアル方向と称する）に沿った配置や、この光ディスクの螺旋状に形成されたトラックの接線方向（以後、タンジェンシャル方向と称する）に沿った配置等がある。一般に、光ディスクに対する情報記録／再生では、その対象となるトラックにレーザ光を追従させるべくトラッキング制御が行われる。このトラッキング制御では、一般に、レーザ光を回折格子等により回折して得た３つのレーザ光（０次光、±１次回折光）を用いる差動プッシュプル法や３ビーム法等が採用されている。例えばこの差動プッシュプル法では、情報記録／再生対象トラックの接線方向に対して＋１次回折光と−１次回折光とを線対称に照射することにより、従来のプッシュプル法等に比べて優れたトラッキング制御を可能としている。２つの対物レンズがラジアル方向に配置される場合、この２つの対物レンズの双方とも、情報記録／再生対象トラックの接線方向に対して＋１次回折光と−１次回折光とを線対称に照射可能である。一方、２つの対物レンズがタンジェンシャル方向に配置される場合、一方の対物レンズが情報記録／再生対象トラックの接線方向に対して＋１次回折光と−１次回折光とを線対称に照射可能であるとき、他方の対物レンズでは＋１次回折光と−１次回折光とが非線対称な照射となってしまう。この場合、０次光及び±１次回折光の反射光に応じたトラッキングエラー信号の振幅が変動するため、例えば差動プッシュプル法によるトラッキング制御が出来なくなる虞があった。そこで、タンジェンシャル方向に２つの対物レンズを配置する場合は、例えば差動プッシュプル法よりもトラッキング制御において劣る可能性のある０次光の反射光に基づくプッシュプル法等が採用されていた。
【０００４】
このように、光ピックアップ装置において、２つの対物レンズを１つのレンズホルダに搭載するにあっては、例えば差動プッシュプル法に基づく良好なトラッキング制御を行うことが可能なラジアル方向への配置を選択することが望ましいとされている。
【先行技術文献】
【特許文献】
【０００５】
【特許文献１】国際公開ＷＯ９８／０２８７４
【発明の概要】
【発明が解決しようとする課題】
【０００６】
ところで、前述した２つの対物レンズをラジアル方向へ配置する構成の場合、例えば外周側の対物レンズが光ディスクの情報記録層のトラックにレーザ光を集光する場合、内周側の対物レンズのラジアル方向における位置は、この２つの対物レンズをタンジェンシャル方向へ配置する場合又は１つの対物レンズのみをレンズホルダに搭載する場合よりも内周側に位置する。
【０００７】
図７に例示されるように、外周側の対物レンズ９０２が、例えば光ディスク２の情報記録層２２のリードイン領域（又はＰＣＡ（Power Calibration Area）領域）よりも更に内周側の領域のトラック（以後、情報記録層の最内周と称する）にレーザ光を集光する場合、内周側の対物レンズ９０１はラジアル方向において最も内周側に位置することになる。尚、同図は、２つの対物レンズ９０１、９０２のラジアル方向への配置を示す側面図である。同図の例示によれば、対物レンズ９０１、９０２はレンズホルダ９００により保持され、このレンズホルダ９００は、ラジアル方向に移動可能なハウジング９００にサスペンションワイヤ９２０ａを介して収容されている。また、同図の例示によれば、ターンテーブル４０は、その径よりも小さい径のロータ５０に設けられている。
【０００８】
図７に例示されるように、レンズホルダ９００やハウジング９３０等が、リードイン領域（又はＰＣＡ領域）よりも更に内周側の領域に移動する必要が無い仕様のものである場合、情報記録層２２の最内周への移動の際、ターンテーブル４０に対し、ワイヤ保持部材９００ａ等は衝突を回避できても、対物レンズ９０１のレンズ面が衝突する虞があった。このため、対物レンズ９０２は、情報記録層２２の最内周にはアクセスできず、この領域のトラックでの記録／再生ができないという問題があった。
【０００９】
前述した衝突を回避するべく、もし対物レンズ９０１、９０２の径を小さくする場合、レーザ光を集光するための有効径もこれに伴い小さくなる。このため、ディスク偏心等に追従する目的でハウジング９３０がラジアル方向にシフトすると、光ディスク２に集光するレーザ光の光量低下やレーザ光の反射光に応じた信号（例えば再生信号）の振幅劣化等を招く虞がある。また、衝突を回避するべく、もし対物レンズ９０１、９０２どうしの間隔や、図７におけるレンズホルダ９００及び対物レンズ９０１の右端部どうしの間隔等を短くする場合、レンズホルダ９００の剛性が低下して、アクチュエータ（不図示）に不要な共振モードを発生させる虞がある。
【００１０】
或いは、衝突を回避するべく、もし図７におけるレンズホルダ９００の上面部に対しフォーカス方向に段差を付けて、対物レンズ９０１の位置を対物レンズ９０２の位置よりも低く設定する場合、内周側の対物レンズ９０１の使用時には、外周側の対物レンズ９０２のレンズ面が前記段差の分だけ光ディスク２のディスク面に近づいてしまう。つまり、内周側の対物レンズ９０１の使用時には、外周側の対物レンズ９０２の作動距離（ＷＤ：Working Distance）が実質的に短くなる。このため、もし例えばフォーカスサーボが外れた場合、光ディスク２のディスク面に対物レンズ９０２のレンズ面が衝突して、このディスク面に傷を付けてしまう虞がある。
【００１１】
そこで、本発明は、ラジアル方向において内周側の対物レンズがターンテーブルと衝突することなく、外周側の対物レンズが光ディスクの情報記録層の最内周にレーザ光を集光可能な光ピックアップ装置を提供することを目的とする。
【課題を解決するための手段】
【００１２】
前記課題を解決するための発明は、第１光ディスクがターンテーブルに装着された第１装着状態である場合、前記第１光ディスクの情報記録層に第１レーザ光を集光する第１対物レンズと、前記第１光ディスクとは異なる情報記録フォーマットの第２光ディスクが前記ターンテーブルに装着された第２装着状態である場合、前記第２光ディスクの情報記録層に第２レーザ光を集光する第２対物レンズと、前記第１装着状態の前記第１光ディスク及び前記第２装着状態の前記第２光ディスクの径方向に沿って、前記第１対物レンズ及び前記第２対物レンズを各々前記径方向の外周側及び内周側として隣接させて一体保持し、前記径方向に沿って移動可能であるレンズホルダと、を備えた光ピックアップ装置であって、前記第１装着状態の前記第１光ディスク及び前記第２装着状態の前記第２光ディスクのディスク面と、前記第１対物レンズ及び前記第２対物レンズの前記ディスク面と対向する対向面とは、略平行であり、前記ディスク面と前記対向面との間の前記ターンテーブルの回転軸方向の最小距離は、前記ターンテーブルの回転軸方向の厚みより大である、ことを特徴とする。
【発明の効果】
【００１３】
本発明によれば、ラジアル方向において内周側の対物レンズがターンテーブルと衝突することなく、外周側の対物レンズが光ディスクの情報記録層の最内周にレーザ光を集光できる。
【図面の簡単な説明】
【００１４】
【図１】本実施の形態の光ピックアップ装置を備えた光ディスク装置の内部構成例を示す平面図及び側面図である。
【図２】本実施の形態の光ピックアップ装置の全体構成例を示す模式図である。
【図３】（ａ）は、光ディスクの情報記録層の最内周に青紫色レーザ光を集光する際の光ピックアップ装置の配置例を示す側面図であり、（ｂ）は、光ディスクの情報記録層の最内周に赤色レーザ光又は赤外レーザ光を集光する際の光ピックアップ装置の配置例を示す側面図である。
【図４】（ａ）は、ターンテーブルに装着された厚みの異なる光ディスクと、対物レンズとの位置関係を示す側面図であり、（ｂ）は、ターンテーブルに装着された光ディスクのディスク面と、段差のついた対物レンズとの位置関係を示す側面図である。
【図５】（ａ）は、厚さ及び位置の異なるターンテーブルと対物レンズとの位置関係を示す側面図であり、（ｂ）は、傾きの異なる光ディスク及びターンテーブルと対物レンズとの位置関係を示す側面図である。
【図６】本実施の形態の対物レンズのもう一つの例を示す側面図である。
【図７】２つの対物レンズのラジアル方向への配置を示す側面図である。
【発明を実施するための形態】
【００１５】
本明細書及び添付図面の記載により、少なくとも以下の事項が明らかとなる。
【００１６】
＝＝＝光ピックアップ装置の構成例＝＝＝
図１及び図２を参照しつつ、本実施の形態の光ピックアップ装置１０の構成例について説明する。尚、図１は、本実施の形態の光ピックアップ装置１０を備えた光ディスク装置１の内部構成例を示す平面図及び側面図である。図２は、本実施の形態の光ピックアップ装置１０の全体構成例を示す模式図である。尚、本実施の形態におけるラジアル方向とは、ＨＤ ＤＶＤやＢｌｕ−ｒａｙ Ｄｉｓｃ等（以後、光ディスク２ａ（図３（ａ））と称する）又はＣＤやＤＶＤ等（以後、光ディスク２ｂ（図３（ｂ））と称する）がターンテーブル４０に装着された場合の情報記録層２１、２２（図３）に形成されたトラックの径方向を示すものとする。ここで、光ディスク２ａ、２ｂを更に光ディスク２と総称する。一方、タンジェンシャル方向とは、光ディスク２がターンテーブル４０に装着された場合の情報記録層２１、２２に形成されたトラックの接線方向を示すものとする。
【００１７】
図１に例示されるように、本実施の形態の光ディスク装置１の筐体（不図示）底部における所定の基板（不図示）には、主として、ターンテーブル４０を回転させるステッピングモータのロータ５０と、光ピックアップ装置１０をラジアル方向に移動可能に支持するレール２０、３０とが設けられている。
【００１８】
本実施の形態のターンテーブル４０は円盤形状をなすものであり、円柱形状をなすロータ５０の上面に対し、回転軸に関して同心に設けられている。図１に例示されるように、本実施の形態では、ターンテーブル４０の円盤の径は、ロータ５０の円柱の径よりも大きく設定されている。また、ターンテーブル４０の上面には、これと光ディスク２とを同心に固定するための軸部４０ａが設けられている。
【００１９】
本実施の形態の光ピックアップ装置１０の外観は、主として、対物レンズ１０１、１０２と、レンズホルダ１００と、ハウジング１３０と、ハウジング１３０に対しレンズホルダ１００を移動させるための手段とを備えて構成されている。
【００２０】
レンズホルダ１００は、対物レンズ１０１を内周側、対物レンズ１０２を外周側として、ラジアル方向に沿って隣接するように一体に保持するものである。尚、後述するように、本実施の形態では、対物レンズ１０１（第２対物レンズ）は、青紫色レーザ光（第２レーザ光）を光ディスク２ａ（第２光ディスク）の情報記録層２１に集光するものであり、対物レンズ１０２（第１対物レンズ）は、赤色レーザ光又は赤外レーザ光（第１レーザ光）を光ディスク２ｂ（第１光ディスク）の情報記録層２２に集光するものである。但し、これに限定されるものではなく、対物レンズ１０１が赤色又は赤外レーザ光を集光し、対物レンズ１０２が青紫色レーザ光を集光するものであってもよい。
【００２１】
また、レンズホルダ１００は、対物レンズ１０１における青紫色レーザ光を出射する側のレンズ面（対向面）と、対物レンズ１０２における赤色レーザ光又は赤外レーザ光を出射する側のレンズ面とが略水平（ラジアル方向に対して略平行）となるように、２つの対物レンズ１０１、１０２を保持するものである。これにより、２つのレンズ面と、ターンテーブル４０に装着された光ディスク２のディスク面とは略平行となる。尚、図１の例示では、２つのレンズ面はそれぞれ扁平な水平面をなすものであるが、これに限定されるものではない。例えば、対物レンズ１０１、１０２のレーザ光の出射側は凸面をなすものであってもよく、この場合、レンズ面は、この凸面における最突出部分のなす面を意味するものとする。
【００２２】
更に、レンズホルダ１００の図１における左右端面には、サスペンションワイヤ１２０ａを保持するためのワイヤ保持部材１００ａが一体成形されている。サスペンションワイヤ１２０ａの両端が、ハウジング１３０に設けられた一対の固定部材１２０に固着されることにより、レンズホルダ１００はハウジング１３０に弾性保持される。レンズホルダ１００に設けられたトラッキング用コイル１１０ａ及びフォーカシング用コイル１１０ｂは、ハウジング１３０の所定位置に設けられているマグネットやヨーク等の磁気部材（不図示）と対向するようになっている。そして、前記コイル１１０ａ、１１０ｂを駆動することにより、磁気作用を利用して、ハウジング１３０に対してレンズホルダ１００をラジアル方向及びフォーカス方向に移動させることができる。
【００２３】
尚、本実施の形態では、ハウジング１３０は、レール２０、３０に懸架されてラジアル方向に移動可能となるように、係止部１３１、１３２、１３３を有している。
【００２４】
図１に例示されるように、本実施の形態の光ピックアップ装置１０は、ターンテーブル４０に装着された光ディスク２のディスク面と、対物レンズ１０１、１０２のレンズ面との間の作動距離ＷＤ（Working Distance）が、ターンテーブル４０の円盤の厚みｔよりも大となるように構成されている（ＷＤ＞ｔ）。尚、このＷＤは、対物レンズ１０１、１０２がフォーカシング制御により光ディスク２のディスク面に最も接近した場合の最小距離である。尚、以後、この最小距離を「最小作動距離」と称する。
【００２５】
以下、ＷＤ＞ｔを実現するための具体例について述べる。例えば、光ディスク装置において、ターンテーブル４０に対するハウジング１３０のフォーカス方向の相対位置が固定されている場合、レンズホルダ１００のフォーカス方向の厚みを小さくするほど、相対的にＷＤを大きく設計できる。つまり、ＷＤ＞ｔを実現するレンズホルダ１００の形状が設計可能である。或いは、例えば、ターンテーブル４０に対するハウジング１３０又はレール２０、３０のフォーカス方向の相対位置や、ハウジング１３０のフォーカス方向の厚み等を調節することにより、ＷＤ＞ｔを実現できる。また或いは、例えば、光ディスク装置において、ハウジング１３０に対するターンテーブル４０のフォーカス方向の相対位置やターンテーブル４０自体等を、ＷＤ＞ｔとなるように調節してもよい。
【００２６】
尚、ＷＤは対物レンズ１０１、１０２の焦点距離に関連する距離であるため、ＷＤの変化に伴い、対物レンズ１０１、１０２の形状の変更が必要となる場合がある。
【００２７】
＜＜光ディスク２ａ用の光学系＞＞
図２に例示されるように、青紫色半導体レーザ１４０は、例えばｐ型半導体とｎ型半導体とをｐｎ接合したダイオード（不図示）から構成されている。青紫色半導体レーザ１４０は、レーザ駆動回路（不図示）から制御電圧が印加されることにより、光ディスク２ａの情報記録層２１までの保護層の厚み（ＨＤ ＤＶＤ：０．６ｍｍ、Ｂｌｕ-ｒａｙ Ｄｉｓｃ：０．７５ｍｍ〜０．１ｍｍ）に対応する波長（４００ｎｍ〜４１０ｎｍ）のＩｎＧａＮ系青紫色レーザ光を出射するようになっている。
【００２８】
回折格子１４１は、青紫色レーザ光を回折して例えば０次光と±１次回折光とを発生させてビームスプリッタ１４２に出射するものである。  
ビームスプリッタ１４２は、青紫色レーザ光を透過してコリメータレンズ１４３に出射する機能と、この青紫色レーザ光の光ディスク２ａからの反射光を反射してセンサレンズ１８１に出射する機能とを有するものである。  
コリメータレンズ１４３は、青紫色レーザ光を平行光に変換して液晶収差補正素子１４４に出射する機能と、液晶収差補正素子１４４からの青紫色レーザ光の反射光を収束光に変換してビームスプリッタ１４２に出射する機能とを有するものである。
【００２９】
液晶収差補正素子１４４は、対向するガラス基板１４４ａ、１４４ｃと、このガラス基板１４４ａ、１４４ｃ間に液晶分子が封止された液晶分子層１４４ｂとを備えたものである。液晶分子層１４４ｂの液晶分子の向きは、青紫色レーザ光の光軸に対する光ディスク２ａの傾きにより発生するコマ収差を補正する方向に予め設定されている。この液晶収差補正素子１４４は、液晶分子層１４４ｂを介した青紫色レーザ光を立上ミラー１４５に出射する機能と、立上ミラー１４５からの青紫色レーザ光の反射光をコリメータレンズ１４３に出射する機能とを有する。
【００３０】
立上ミラー１４５は、青紫色レーザ光を反射して、対物レンズ１０１に青紫色レーザ光を入射させる機能と、この対物レンズ１０１からの青紫色レーザ光の反射光を反射して、液晶収差補正素子１４４に出射する機能とを有するものである。
【００３１】
センサレンズ１８１は、例えば差動非点収差法に基づくフォーカシング制御を行うべく、ビームスプリッタ１４２からの青紫色レーザ光の反射光に非点収差を付与して、光検出器１８０に出射するものである。
【００３２】
光検出器１８０は、青紫色レーザ光の０次光の反射光と±１次回折光の反射光とを各々受光するための例えば４分割された受光領域を有する検出器である。光検出器１８０は、０次光の反射光の光量に応じて光電変換した電気信号を生成し、後段の処理回路（不図示）に出力する機能を有する。この結果、０次光の反射光に応じた電気信号に基づいて、光ディスク２ａの情報記録層２１からの情報再生が行われる。また、光検出器１８０は、±１次回折光の反射光の光量に応じて光電変換した電気信号を生成し、０次光の反射光に応じた電気信号とともに、後段のサーボ制御回路（不図示）に出力する機能を有する。この結果、０次光と±１次回折光との反射光に応じた電気信号に基づいて、トラッキングエラー信号やフォーカスエラー信号等が生成され、前述した磁気部材を介して、差動プッシュプル法によるトラッキング制御や差動非点収差法によるフォーカシング制御等が施される。
【００３３】
＜＜光ディスク２ｂ用の光学系＞＞
赤色半導体レーザ１５０は、例えばｐ型半導体とｎ型半導体とをｐｎ接合したダイオード（不図示）から構成されている。赤色半導体レーザ１５０は、レーザ駆動回路（不図示）からの制御電圧が印加されることにより、光ディスク２ｂの情報記録層２２までの保護層の厚み（０．６ｍｍ）に対応する波長（６５０ｎｍ〜６６０ｎｍ）のＡｌＧａＩｎＰ系赤色レーザ光を出射するようになっている。  
回折格子１５１は、赤色レーザ光を回折して例えば０次光と±１次回折光とを発生させてダイクロイックプリズム１７０に出射するものである。
【００３４】
赤外半導体レーザ１６０は、例えばｐ型半導体とｎ型半導体とをｐｎ接合したダイオード（不図示）から構成されている。赤外半導体レーザ１６０は、レーザ駆動回路（不図示）からの制御電圧が印加されることにより、光ディスク２ｂの情報記録層２２までの保護層の厚み（１．２ｍｍ）に対応する波長（７８０ｎｍ〜７９０ｎｍ）のＡｌＧａＡｓ系赤外レーザ光を出射するようになっている。
【００３５】
カップリングレンズ１６１は、拡散光である赤外レーザ光の広がり角を変換して回折格子１６２に出射するものである。  
回折格子１６２は、赤外レーザ光を回折して例えば０次光と±１次回折光とを発生させてダイクロイックプリズム１７０に出射するものである。
【００３６】
ダイクロイックプリズム１７０は、赤色レーザ光を透過して平板ビームスプリッタ１７１に出射する機能と、赤外レーザ光を反射して平板ビームスプリッタ１７１に出射する機能とを有するものである。  
平板ビームスプリッタ１７１は、赤色レーザ光及び赤外レーザ光を反射してコリメータレンズ１７２に出射する機能と、光ディスク２ｂからの赤色レーザ光及び赤外レーザ光の反射光を透過してセンサレンズ１９１に出射する機能とを有するものである。
【００３７】
コリメータレンズ１７２は、赤色レーザ光及び赤外レーザ光を平行光に変換して立上ミラー１７３に出射する機能と、立上ミラー１７３からの赤色レーザ光及び赤外レーザ光の反射光を収束光に変換して平板ビームスプリッタ１７１に出射する機能とを有するものである。  
立上ミラー１７３は、赤色レーザ光及び赤外レーザ光を反射して、対物レンズ１０２に赤色レーザ光及び赤外レーザ光を入射させる機能と、この対物レンズ１０２からの赤色レーザ光及び赤外レーザ光の反射光を反射して、コリメータレンズ１７２に出射する機能とを有するものである。
【００３８】
センサレンズ１９１は、例えば差動非点収差法に基づくフォーカシング制御を行うべく、平板ビームスプリッタ１７１からの赤色レーザ光及び赤外レーザ光の反射光に非点収差を付与して、光検出器１９０に出射するものである。
【００３９】
光検出器１９０は、赤色レーザ光及び赤外レーザ光の０次光の反射光と±１次回折光の反射光とを各々受光するための例えば４分割された受光領域を有する検出器である。光検出器１９０は、０次光の反射光の光量に応じて光電変換した電気信号を生成し、後段の処理回路（不図示）に出力する機能を有する。この結果、０次光の反射光に応じた電気信号に基づいて、光ディスク２ｂの情報記録層２２からの情報再生が行われる。また、光検出器１９０は、±１次回折光の反射光の光量に応じて光電変換した電気信号を生成し、０次光の反射光に応じた電気信号とともに、後段のサーボ制御回路（不図示）に出力する機能を有する。この結果、０次光と±１次回折光との反射光に応じた電気信号に基づいて、トラッキングエラー信号やフォーカスエラー信号等が生成され、前述した磁気部材を介して、差動プッシュプル法によるトラッキング制御や差動非点収差法によるフォーカシング制御等が施される。
【００４０】
＝＝＝光ピックアップ装置の作動距離（１）＝＝＝
図３を参照しつつ、前述した光ピックアップ装置１０の作動距離ＷＤの一例について説明する。尚、図３（ａ）は、光ディスク２ａの情報記録層２１の最内周に青紫色レーザ光を集光する際の光ピックアップ装置１０の配置例を示す側面図であり、図３（ｂ）は、光ディスク２ｂの情報記録層２２の最内周に赤色レーザ光又は赤外レーザ光を集光する際の光ピックアップ装置１０の配置例を示す側面図である。
【００４１】
図３（ａ）に例示されるように、対物レンズ１０１を通じて青紫色レーザ光を光ディスク２ａの情報記録層２１の最内周に集光する場合、この対物レンズ１０１は２つの対物レンズ１０１、１０２のうちの内周側のものであるため、この対物レンズ１０１とターンテーブル４０との間にはラジアル方向に十分な間隙がある。これにより、光ピックアップ装置１０はターンテーブル４０と衝突することなく、この最内周にアクセスできる。
【００４２】
図３（ｂ）に例示されるように、対物レンズ１０２を通じて赤色レーザ光又は赤外レーザ光を光ディスク２ｂの情報記録層２２の最内周に集光する場合、内周側にある他方の対物レンズ１０１とターンテーブル４０とがラジアル方向に重なる場合がある。このような場合でも、前述した構成に基づいて、対物レンズ１０１のレンズ面と、光ディスク２ｂのディスク面との最小作動距離ＷＤは、ターンテーブル４０の厚みｔよりも大となるため、光ピックアップ装置１０はターンテーブル４０と衝突することなく、この最内周にアクセスできる。
【００４３】
尚、この最小作動距離ＷＤとは、対物レンズ１０２のフォーカシング制御により、ハウジング１３０に対してレンズホルダ１００が離間する方向に移動して、対物レンズ１０２が光ディスク２ｂのディスク面に最も接近した場合の他方の対物レンズ１０１のレンズ面とディスク面との間の距離である。
【００４４】
以上から、ラジアル方向において内周側の対物レンズ１０１がターンテーブル４０と衝突することなく、外周側の対物レンズ１０２が光ディスク２の情報記録層２１、２２の最内周にレーザ光を集光可能な光ピックアップ装置１０が提供されることになる。
【００４５】
＝＝＝光ピックアップ装置の作動距離（２）＝＝＝
前述した最小作動距離ＷＤと、ターンテーブル４０の厚みｔとの関係は、各部材の寸法の誤差に応じて補正されてもよい。尚、以下述べる誤差とは、例えば各部材の寸法の公差であるものとする。
【００４６】
図４（ａ）に例示されるように、平均厚みの光ディスク２ｂ”と、これよりも厚い光ディスク２ｂ’とでは、ターンテーブル４０に装着されたときに情報記録層２２”、２２’のフォーカス方向の位置に変位ΔＺ１が生じる場合がある。尚、同図は、ターンテーブル４０に装着された厚みの異なる光ディスク２ｂ’、２ｂ”と、対物レンズ１０１との位置関係を示す側面図である。平均厚みよりも厚い光ディスク２ｂ’に関しても、対物レンズ１０１がターンテーブル４０と衝突しない最小作動距離ＷＤ’を保持できるような、（平均厚みの光ディスク２ｂ”に関する）最小作動距離ＷＤ”の下限値が設定されていることが望ましい。光ディスク２ｂ’が光ディスク２ｂ”よりもΔＺ１だけ厚く、この差が、情報記録層２２’、２２”のフォーカス方向の位置の変位にそのまま反映されている場合について考える。この場合、対物レンズ１０１及び情報記録層２２”間のフランジバックＦ”と、対物レンズ１０１及び情報記録層２２’間のフランジバックＦ’とは、光ディスク２ｂ”、２ｂ’の保護層の屈折率で補正すれば等しいはずであることに基づいて、ＷＤ”はＷＤ’よりもΔＺ２（＝ΔＺ１／ｎ）だけ大きいという考えに至ることができる。尚、フランジバックＦ”、Ｆ’は、レンズ面（対向面）から焦点までの距離を意味する。
【００４７】
以上から、一般に、ターンテーブルの厚みをｔ、光ディスクの厚みの誤差の絶対値をΔＺ１、光ディスクの保護層の屈折率をｎとすれば、最小作動距離ＷＤは、ＷＤ≧（ｔ＋ΔＺ１／ｎ）を満足すればよいことになる。尚、ΔＺ１又はΔＺ２が第４最大誤差に相当する。ここで、ΔＺ２の代わりに近似的にΔＺ１を用いてもよい。
【００４８】
図４（ｂ）に例示されるように、対物レンズ１０１、１０２のフォーカス方向の位置にずれがあって、例えば、対物レンズ１０２は対物レンズ１０１よりもΔＺ３だけ下がっている場合について考える。尚、同図は、ターンテーブル４０に装着された光ディスク２ｂのディスク面と、段差のついた対物レンズ１０１、１０２との位置関係を示す側面図である。この場合、対物レンズ１０１がターンテーブル４０と衝突しない最小作動距離ＷＤ’を保持できるように、（第２対物レンズ１０２側の）最小作動距離ＷＤ”の下限値が設定されていることが望ましい。
【００４９】
以上から、一般に、ターンテーブルの厚みをｔ、２つのレンズ面間のずれの絶対値をΔＺ３とすれば、最小作動距離ＷＤは、ＷＤ≧（ｔ＋ΔＺ３）を満足すればよいことになる。尚、ΔＺ３が第６最大誤差に相当する。
【００５０】
図５（ａ）に例示されるように、ターンテーブル４０の厚みがより厚くなったり（図５（ａ）中央）、ターンテーブル４０のフォーカス方向の位置がよりレンズ面に近づいたり（図５（ａ）右）した場合について考える。尚、同図は、厚さ及び位置の異なるターンテーブル４０と対物レンズ１０１との位置関係を示す側面図である。この場合、対物レンズ１０１が、より厚い又はレンズ面により近づいたターンテーブル４０”、４０と衝突しない最小作動距離ＷＤ”、ＷＤ’を保持できるように、（厚さ及び位置が平均値であるターンテーブル４０に関する）最小作動距離ＷＤ”の下限値が設定されていることが望ましい。
【００５１】
以上から、一般に、ターンテーブルの厚みをｔ、ターンテーブルの厚み又はフォーカス方向の位置の誤差の絶対値をΔＺ４とすれば、最小作動距離ＷＤは、ＷＤ≧（ｔ＋ΔＺ４）を満足すればよいことになる。尚、ΔＺ４が第１最大誤差及び第２最大誤差に相当する。
【００５２】
図５（ｂ）に例示されるように、ターンテーブル４０の装着面の傾き、及び／又は、光ディスク２ｂの回転時の面振れにより、対物レンズ１０１の最小作動距離ＷＤ’よりも対物レンズ１０２の最小作動距離ＷＤ”の方が大きくなっている場合について考える。尚、同図は、傾きの異なる光ディスク２ｂ及びターンテーブル４０と対物レンズ１０１、１０２との位置関係を示す側面図である。この場合、対物レンズ１０１がターンテーブル４０と衝突しない最小作動距離ＷＤ’を保持できるように、（対物レンズ１０２とディスク面との間の）最小作動距離ＷＤ”の下限値が設定されていることが望ましい。同図では、ディスク面のラジアル方向に対する傾きをθとし、このθによる光ディスク２ｂの最内周におけるフォーカス方向の変位をΔＺ５としている。
【００５３】
以上から、一般に、ターンテーブルの厚みをｔ、ターンテーブルの装着面の傾き又は光ディスクの面振れによる最内周におけるフォーカス方向の変位をΔＺ５とすれば、最小作動距離ＷＤは、ＷＤ≧（ｔ＋ΔＺ５）を満足すればよいことになる。尚、ΔＺ５が第３最大誤差及び第５最大誤差に相当する。
【００５４】
＝＝＝光ピックアップ装置の作動距離（３）＝＝＝
前述したΔＺ２、ΔＺ３、ΔＺ４、及びΔＺ５を全て考慮した最小作動距離ＷＤの下限値を設定することが好ましい。  
ΔＺ２（＝ΔＺ１／ｎ）に関しては、光ディスク２がＣＤの場合にΔＺ１が最大であって例えば0.1mmである。これをｎ（例えば1.5）で除算して、ΔＺ２はおよそ0.067mmとなる。  
ΔＺ３に関しては、２つの対物レンズの相対高さ誤差は例えば0.05mmである。  
ΔＺ４に関しては、ターンテーブル４０の厚み誤差が例えば0.05mm（Ｚ４’）であるとともに、ターンテーブル４０の高さ誤差が例えば0.05mm（Ｚ４”）である。  
ΔＺ５に関しては、ターンテーブル４０の傾き誤差が例えば0.1°であり、最内周トラック半径が例えば21mmであるとすれば、21×tan(0.1°)により、およそ0.037mm（Ｚ５’）である。また、ディスク面の面振れは例えば0.015mm（Ｚ５”）である。
【００５５】
以上、0.1mm（ΔＺ２）、0.067mm（ΔＺ３）、0.05mm（ΔＺ４’）、0.05mm（ΔＺ４”）、0.037mm（ΔＺ５’）、及び0.015mm（ΔＺ５”）の各二乗値の合計の平方根を求めると、およそ0.12mmとなる。よって、前述した第１最大誤差乃至第６最大誤差の全てを考慮した場合、最小作動距離ＷＤは、ＷＤ≧（ｔ＋0.12mm）を満足すればよいとすることができる。これにより、ラジアル方向において内周側の対物レンズ１０１がターンテーブル４０と衝突することなく、外周側の対物レンズ１０２が光ディスク２の情報記録層２１、２２の最内周にレーザ光を集光可能となる。尚、ターンテーブル４０の厚みｔに対して加算する値は、0.12mmに限定されるものではなく、Ｚ２、Ｚ３、Ｚ４’、Ｚ４”、Ｚ５’、及びＺ５”のうちの少なくとも１以上の二乗値の合計の平方根であってもよい。
【００５６】
前述した発明の実施の形態は、本発明の理解を容易にするためのものであり、本発明を限定して解釈するためのものではない。本発明は、その趣旨を逸脱することなく変更、改良され得るとともに、本発明にはその等価物も含まれる。
【００５７】
図６において他の実施の形態を示す。尚、同図は、本実施の形態の対物レンズのもう一つの例を示す側面図である。ここで、２つの対物レンズ１０１’、１０２’は、図１に例示される２つの対物レンズ１０１、１０２にそれぞれ対応するものである。図６では、対物レンズ１０１’は、レンズ部１０１ａ’及び縁部１０１ｂ’から構成され、対物レンズ１０２’は、レンズ部１０２ａ’及び縁部１０２ｂ’から構成されている。２つの対物レンズ１０１’、１０２’は、１つのレンズホルダ１００（図１）に保持されるものである。以後、説明の便宜上、一方の対物レンズ１０１’について述べる。
【００５８】
レンズ部１０１ａ’は、前述した対物レンズ１０１と同じ機能を有するものである。縁部１０１ｂ’は、レンズ部１０１ａ’に対しそのディスク面寄りの面の周囲を取り囲むように、ターンテーブル４０（図１）の回転軸方向と同軸の略円筒形状をなして、レンズ部１０１ａ’と一体に設けられている。縁部１０１ｂ’におけるディスク面と反対側の面Ｂは、対物レンズ１０１’をレンズホルダ１００に落とし込んだ際に、この対物レンズ１０１’を所定位置に保持するように、レンズホルダ１００と係合する面である。
【００５９】
一方、図６の例示では、縁部１０１ｂ’におけるディスク面寄りの面Ａは、レンズ部１０１ａ’のディスク面と対向するレンズ面よりもディスク面に近くなっている。対物レンズ１０１’が例えばプラスチックの場合、このように、レンズ面が縁部１０１ｂ’に対し窪んだ形状をとり得る。この場合、対物レンズ１０１’のディスク面に対する対向面とは、レンズ面と面Ａとから構成される面である。そして、最小作動距離ＷＤは、ディスク面と面Ａとの間の距離となる。
【００６０】
また、本実施の形態では、光ディスク２ａはＨＤ ＤＶＤやＢｌｕ−ｒａｙ Ｄｉｓｃ等であり、光ディスク２ｂはＣＤやＤＶＤ等であるとしたが、これに限定されるものではない。光ディスク２ａ及び光ディスク２ｂは、例えば、一方がＨＤ ＤＶＤで、他方がＢｌｕ−ｒａｙ Ｄｉｓｃであってもよい。この場合、それぞれの情報記録層に集光する半導体レーザの波長は同じものである。
【符号の説明】
【００６１】
１  光ディスク装置                    ２、２ａ、２ｂ  光ディスク
１０  光ピックアップ装置              ２０、３０  レール
２１、２２  情報記録層                ４０  ターンテーブル
４０ａ  軸部                          ５０  ロータ
１００  レンズホルダ                  １００ａ  ワイヤ保持部材
１０１、１０１’  対物レンズ          １０２、１０２’  対物レンズ
１０１ａ’、１０２ａ’  レンズ面      １０１ｂ’、１０２ｂ’  縁部
１１０ａ  トラッキング用コイル        １１０ｂ  フォーカシング用コイル
１２０  固定部材                      １２０ａ  サスペンションワイヤ
１３０  ハウジング                    １３１、１３２、１３３  係止部
【図１】
2011204352.tif 000003
【図２】
2011204352.tif 000004
【図３】
2011204352.tif 000005
【図４】
2011204352.tif 000006
【図５】
2011204352.tif 000007
【図６】
2011204352.tif 000008
【図７】
2011204352.tif 000009